(57)【要約】【課題】替え刃の交換が容易で、しかも常に切削精度の高い状態に維持し易い替え刃式鉋を提供する。【解決手段】鉋身２は、鉋台１に設けられた鉋身取付け用凹部６の鉋身支持用斜面５に鉋身固定手段２４により当該鉋身単独で取り付けられ、替え刃４と押え金３とには、当該押え金３の鉋身２に対面する裏面３ｂに替え刃４を重ねたときに互いに嵌合して、押え金３の尖端３ａから刃先４ａが突出する状態に替え刃４を位置決めする替え刃位置決め用嵌合部１３が設けられ、押え金３と鉋身２とには、この両者を互いに重ねたときに互いに嵌合して、鉋身２との間で挟んだ替え刃４の刃先４ａが鉋身２の尖端２ａから突出する所定位置に押え金３を位置決めする押え金位置決め用嵌合部２３が設けられ、この押え金位置決め用嵌合部２３が互いに嵌合する状態で押え金３が鉋身２の上に押え金固定手段２９により取り付けられた構成。【選択図】図１
2011046105.tif 000002
【特許請求の範囲】
【請求項１】
鉋台、鉋身、替え刃、及び押え金から成り、鉋身は、鉋台に設けられた鉋身取付け用凹部の鉋身支持用斜面に鉋身固定手段により当該鉋身単独で取り付けられ、替え刃と押え金とには、当該押え金の鉋身に対面する裏面に替え刃を重ねたときに互いに嵌合して、押え金の尖端から刃先が突出する状態に替え刃を位置決めする替え刃位置決め用嵌合部が設けられ、押え金と鉋身とには、この両者を互いに重ねたときに互いに嵌合して、鉋身との間で挟んだ替え刃の刃先が鉋身の尖端から突出する所定位置に押え金を位置決めする押え金位置決め用嵌合部が設けられ、この押え金位置決め用嵌合部が互いに嵌合する状態で押え金が鉋身の上に押え金固定手段により取り付けられている、替え刃式鉋。
【請求項２】
替え刃位置決め用嵌合部の嵌合により押え金に対し位置決めされた替え刃が押え金から外れ落ちるのを防止する替え刃固定手段が併設されている、請求項１に記載の替え刃式鉋。
【請求項３】
替え刃固定手段は、替え刃位置決め用嵌合部の嵌合により押え金に対し位置決めされた替え刃の、押え金から突出する刃先のある側とは反対側の側辺を、頭部の側辺で押え金側に押圧するように押え金のネジ孔に螺合締結される押えネジから構成され、鉋身側には、前記押えネジの頭部が遊嵌する凹部が設けられている、請求項２に記載の替え刃式鉋。
【請求項４】
鉋身固定手段は、鉋台に対する鉋身の出し入れ方向と平行に鉋身に設けられた左右一対の長孔と、この各長孔を貫通して鉋台側の下孔にねじ込まれた固定用木ネジとから構成され、鉋台に対する鉋身の固定位置を当該鉋身の出し入れ方向に調整可能に構成されている、請求項１〜３の何れか１項に記載の替え刃式鉋。
【請求項５】
鉋身固定手段は、鉋台と鉋身との間に介装された両面粘着テープを有する、請求項４に記載の替え刃式鉋。
【請求項６】
押え金位置決め用嵌合部は、押え金の裏面の後端寄り位置に押え金幅方向と平行に設けられた直線状の被嵌合部と、この被嵌合部が嵌合するように鉋身の表面に鉋身幅方向と平行に設けられた直線状の嵌合部とから構成され、押え金固定手段は、押え金の少なくとも替え刃に近い位置に設けられた少なくとも１つの貫通孔と、この貫通孔を貫通して鉋身側のネジ孔に螺合締結される固定用ネジと、押え金の後端側に設けられた少なくとも１つの貫通ネジ孔と、この貫通ネジ孔を螺合貫通して先端が鉋身の表面に圧接する押え金角度調整ネジとから構成されている、請求項１〜５の何れか１項に記載の替え刃式鉋。
【発明の詳細な説明】
【技術分野】
【０００１】
本発明は、刃先を交換することができる替え刃式の鉋に関するものである。
【背景技術】
【０００２】
替え刃式鉋は、例えば特許文献１に記載されるように、鉋台、鉋身、替え刃、及び押え金から成り、替え刃は、鉋身の先端表面上に替え刃位置決め用嵌合部により位置決めした状態で重ね、この替え刃を鉋身との間で挟み込むように鉋身上に押え金を、押え金位置決め用嵌合部により位置決めした状態で重ね合わせ、この鉋身、替え刃、及び押え金の重ね合わせ体を、鉋台に設けられた鉋身取付け用凹部の鉋身支持用斜面と当該鉋身取付け用凹部内に架設横断させた架設杆との間に差し込んで固定する構造であった。
【先行技術文献】
【特許文献】
【０００３】
【特許文献１】特開平７−１４０８号公報
【発明の概要】
【発明が解決しようとする課題】
【０００４】
上記のような従来の替え刃式鉋の構成では、鉋身先端が刃先となっている一般的な鉋と同様に、鉋身、替え刃、及び押え金の重ね合わせ体を、鉋台側の鉋身取付け用凹部の鉋身支持用斜面と架設杆との間に差し込んで固定するときの差し込み深さによって、鉋台底面からの替え刃の刃先突出量が決まるため、即ち、鉋台に対する鉋身の叩き込み量の加減で鉋台底面からの替え刃の刃先突出量を調整することになるため、鉋台底面からの刃先突出量の調整に関しては、鉋身先端が刃先となっている一般的な鉋と何ら変わりが無く、替え刃の交換ごとに、非常に熟練した技術を要する刃先突出量の調整作業を行わなければならなかった。
【課題を解決するための手段】
【０００５】
本発明は、上記のような従来の問題点を解消することのできる替え刃式鉋を提案するものであって、請求項１に記載の本発明に係る替え刃式鉋は、後述する実施形態の参照符号を付して示すと、鉋台１、鉋身２、替え刃４、及び押え金３から成り、鉋身２は、鉋台１に設けられた鉋身取付け用凹部６の鉋身支持用斜面５に鉋身固定手段２４により当該鉋身単独で取り付けられ、替え刃４と押え金３とには、当該押え金３の鉋身２に対面する裏面３ｂに替え刃４を重ねたときに互いに嵌合して、押え金３の尖端３ａから刃先４ａが突出する状態に替え刃４を位置決めする替え刃位置決め用嵌合部１３が設けられ、押え金３と鉋身２とには、この両者を互いに重ねたときに互いに嵌合して、鉋身２との間で挟んだ替え刃４の刃先４ａが鉋身２の尖端２ａから突出する所定位置に押え金３を位置決めする押え金位置決め用嵌合部２３が設けられ、この押え金位置決め用嵌合部２３が互いに嵌合する状態で押え金３が鉋身２の上に押え金固定手段２９により取り付けられた構成になっている。
【０００６】
上記本発明を実施する場合、具体的には請求項２に記載のように、替え刃位置決め用嵌合部１３の嵌合により押え金３に対し位置決めされた替え刃４が押え金３から外れ落ちるのを防止する替え刃固定手段１７を併設することができる。この場合の替え刃固定手段１７としては、磁性体から成る替え刃４を定位置に磁気吸着するように押え金３の裏面に磁石を埋設することもできるが、押え金３自体が磁気を帯びて釘などの金属製異物が押え金３などに吸着するのを避けるためには、請求項３に記載のように、替え刃固定手段１７は、替え刃位置決め用嵌合部１３の嵌合により押え金３に対し位置決めされた替え刃４の、押え金３から突出する刃先４ａのある側とは反対側の側辺４ｂを、頭部１９ａの側辺で押え金３側に押圧するように押え金３のネジ孔１８に螺合締結される押えネジ１９から構成し、鉋身２側には、前記押えネジ１９の頭部１９ａが遊嵌する凹部１１を設けておくことができる。勿論、この押えネジ１９は、替え刃４の側辺４ｂに沿って複数本を並設することもできる。
【０００７】
又、請求項４に記載のように、鉋身固定手段２４は、鉋台１に対する鉋身２の出し入れ方向と平行に鉋身２に設けられた左右一対の長孔９，１０と、この各長孔９，１０を貫通して鉋台１側の下孔２５ａ〜２６ｂにねじ込まれた固定用木ネジ２７ａ〜２８ｂとから構成して、鉋台１に対する鉋身２の固定位置を当該鉋身２の出し入れ方向に調整可能に構成することができる。この場合、請求項５に記載のように、鉋台１と鉋身２との間に両面粘着テープ３２を介装しておくことができる。尚、固定用木ネジは、各長孔９，１０に１本ずつ使用しても良い。
【０００８】
更に、請求項６に記載のように、押え金位置決め用嵌合部２３は、押え金３の裏面３ｂの後端寄り位置に押え金幅方向と平行に設けられた直線状の被嵌合部（凹溝部２０）と、この被嵌合部（凹溝部２０）が嵌合するように鉋身２の表面に鉋身幅方向と平行に設けられた直線状の嵌合部（角突条部８）とから構成し、押え金固定手段２９は、押え金３の少なくとも替え刃４に近い位置に設けられた少なくとも１つの貫通孔２２ａ（２２ａ，２２ｂ）と、この貫通孔２２ａ（２２ａ，２２ｂ）を貫通して鉋身２側のネジ孔１２ａ（１２ａ，１２ｂ）に螺合締結される固定用ネジ３０ａ（３０ａ，３０ｂ）と、鉋身２の後端側に設けられた少なくとも１つの貫通ネジ孔２１ａ（２１ａ，２１ｂ）と、この貫通ネジ孔２１ａ（２１ａ，２１ｂ）を螺合貫通して先端が鉋身２の表面に圧接する押え金角度調整ネジ３１（３１ａ，３１ｂ）とから構成することができる。
【発明の効果】
【０００９】
請求項１に記載の本発明の構成によれば、替え刃位置決め用嵌合部を利用して替え刃を先端裏面の定位置に位置決めした押え金を、鉋身固定手段により鉋台側の所定位置に固定されている鉋身の上に押え金位置決め用嵌合部を利用して重ね合わせ、そしてこの押え金を押え金固定手段により鉋身に固定することにより、鉋身先端に対する替え刃の取付けが完了する。このときの鉋身先端に対する替え刃の刃先位置は、この替え刃を替え刃位置決め用嵌合部により定位置に位置決めしている押え金が押え金位置決め用嵌合部により鉋身の定位置に位置決めされるのであるから、替え刃が一定サイズである以上、常に一定になる。従って、最初に鉋身固定手段により鉋台に固定するときの鉋身の位置が精度良く設定されておりさえすれば、この鉋身に取り付けられた押え金が装備する替え刃の刃先は、鉋台の底面に対し所定の突出量で且つ平行に位置決めされていることになり、替え刃の交換ごとに必要とされていた鉋身の叩き込み加減による微妙な位置調整作業が全く不要になり、替え刃の交換作業が簡単容易に行えるにもかかわらず、その後の鉋の切込み深さなどが不測に変化する恐れもない。
【００１０】
尚、請求項２に記載の構成によれば、替え刃の交換のために当該替え刃を備えた押え金を鉋身上から取り外したときや、鉋身上に新しい替え刃をセットした押え金を鉋身上に重ねるとき、押え金から替え刃が外れ落ちることがなく、替え刃の交換作業を一層容易に行うことができる。このとき、請求項３に記載の構成によれば、押えネジ１本だけで替え刃固定手段を構成することができ、しかも替え刃自体に取付け用貫通孔などを加工する必要もないので、替え刃固定手段を非常に簡単且つ安価に実施することができる。
【００１１】
又、請求項４に記載の構成によれば、鉋台の鉋身取付け用凹部の鉋身支持用斜面に鉋身を少なくとも２本の木ねじで簡単に、しかも鉋身の出し入れ方向に位置調整した状態で固定することができるので、鉋台に対する鉋身の尖端位置、延いてはこの鉋身に押え金を介して取り付けられる替え刃の刃先の位置精度を容易に高めることができる。このとき、請求項５に記載の構成によれば、仮に鉋身固定用の木ネジが弛んでも、鉋身がその出し入れ方向に移動して替え刃の刃先の位置精度が低下するのを未然に防止できる。
【００１２】
更に、請求項６に記載の構成によれば、押え金角度調整ネジが鉋身の表面に圧接しない状態で、固定用ネジにより押え金を鉋身に完全に圧接した状態では、替え刃は、押え金に対する取付け角度（通常は押え金と平行で取付け角度０度の状態）のまま、鉋身尖端から突出することになり、そのときの鉋台底面に対する替え刃の刃先突出量は最小になるが、係る状態で、必要ならば固定用ネジを少し弛めた状態で押え金角度調整ネジをねじ込んで先端を鉋身表面に圧接させ、その反力で押え金を、替え刃を含む押え金側と鉋身先端との当接点（実際は替え刃と鉋身尖端との、押え金幅方向と平行な当接線）を支点に押え金が替え刃と一体に、替え刃の刃先が下向きに移動する方向に傾動して鉋身に対する押え金の取付け角度が変化し、鉋台底面に対する替え刃の刃先突出量が、替え刃の多少の角度変化を伴って増大することになる。勿論、この押え金による替え刃の角度調整後は、固定用ネジを十分に締結して、角度調整後の押え金を鉋身に完全に固定すれば良い。従って、この請求項６に記載の構成によれば、鉋台に対する鉋身の出し入れ調整や、鉋身に対する押え金の出し入れ調整を行わずとも、押え金角度調整ネジのねじ込みネジ戻し操作という簡単な操作で、替え刃の刃先の微量な突出量の調整が行えるのである。
【図面の簡単な説明】
【００１３】
【図１】本発明の一実施例を示す図であって、Ａ図は一部縦断分解斜視図、Ｂ図は替え刃が取り付けられた押え金の裏面側の斜視図である。
【図２】替え刃と押え金を示す裏側からの斜視図である。
【図３】替え刃取付け状態を示す要部の拡大一部縦断側面図である。
【図４】鉋台に取り付けられた鉋身と、取付け前の替え刃付き押え金とを示す要部の縦断側面図である。
【図５】鉋台に取り付けられた鉋身に替え刃付き押え金を取り付けた状態を示す要部の縦断側面図である。
【図６】替え刃の刃先突出量を調整するときの状態を説明する要部の拡大一部縦断側面図である。
【図７】鉋台に取り付けられる前の鉋身に替え刃付き押え金を取り付けた状態を示す斜視図である。
【図８】変形例を示す要部の斜視図である。
【図９】他の変形例を示す要部の縦断側面図である。
【発明を実施するための形態】
【００１４】
図１〜図５は金属製の押え金、４は替え刃である。鉋台１には、従来周知の通り、略４０度程度に傾斜した鉋身支持用斜面５を備え且つ鉋台１を上下方向に貫通する鉋身取付け用凹部６が設けられている。
【００１５】
鉋身２は、図１に示すように、鉋身支持用斜面５の幅とほぼ等しい幅のもので、その鉋身支持用斜面５に当接する裏面側の先端部（下端部）は略３０度程度の角度に面取りされて、鉋身長さ方向に対し直角の尖端２ａが形成されている。又、この鉋身２の表面側には、前記尖端２ａに近い位置から鉋身長さ方向の中間位置までの間で一段低くなった矩形平坦凹窪領域７が形成され、この矩形平坦凹窪領域７内の後端寄り位置には、この矩形平坦凹窪領域７の前後の平坦表面２ｂ，２ｃよりも高く突出し且つ全幅にわたって直線状に連続する幅方向と平行な角突条部８が一体に形成されている。又、矩形平坦凹窪領域７内には、角突条部８に近い位置において並列する左右一対の、それぞれ鉋身長さ方向と平行な長孔９，１０が設けられると共に、矩形平坦凹窪領域７の前端近傍位置で幅方向の中央位置一箇所に円形凹部１１が設けられている。更に、この円形凹部の１１の左右両側の２箇所と長孔９，１０の内側の左右２箇所に位置する合計４つのネジ孔１２ａ〜１２ｄが設けられている。尚、長孔９，１０は、木ネジの頭部が嵌合する座繰り孔部９ａ，１０ａを備えたものである。
【００１６】
押え金３は、鉋身２の幅より若干狭い幅のもので、この押え金３には、図１Ｂ及び図２に示すように、その表面側の先端部（下端部）が略３０度程度の角度に面取りされて、押え金長さ方向に対し直角の尖端３ａが形成されている。この押え金３の鉋身２の表面と対面する裏面３ｂ側には、前記尖端３ａに隣接して替え刃位置決め用嵌合部１３が設けられている。この替え刃位置決め用嵌合部１３は、替え刃４の幅（刃先に沿った方向に対して直角方向の長さ）よりも狭い幅で且つ押え金３の全幅にわたって帯状に形成された、替え刃４の厚さ分だけ一段低くなった替え刃支持凹窪部１４と、この替え刃支持凹窪部１４の左右両端に一体に形成された突起部１５ａ，１５ｂとから構成されている。替え刃４は、その長さ（刃先４ａに沿った方向の長さ）が押え金３の幅と略同一幅のもので、その長さ方向の両端には、前記替え刃位置決め用嵌合部１３の突起部１５ａ，１５ｂに嵌合する切欠き凹部１６ａ，１６ｂを備えている。
【００１７】
替え刃４を、その刃先４ａを形成する面取り側を外側にして、押え金３の替え刃位置決め用嵌合部１３における替え刃支持凹窪部１４に、その両端の切欠き凹部１６ａ，１６ｂを突起部１５ａ，１５ｂに嵌合させるように嵌め込んだとき、図３に示すように、当該替え刃４の後側辺４ｂが替え刃支持凹窪部１４の後側辺１４ａに隣接すると共に、その刃先４ａが押え金３の尖端３ａから一定長さだけ平行に突出し、且つ突起部１５ａ，１５ｂは切欠き凹部１６ａ，１６ｂから上側に突出しないように構成されている。勿論、この状態では、替え刃４の表面と押え金３の裏面３ｂとが略面一に連続している。この状態の替え刃４を押え金３に固定する替え刃固定手段１７として、替え刃支持凹窪部１４に隣接する押え金３の裏面３ｂの幅方向中央位置にネジ孔１８が設けられると共に、このネジ孔１８に螺合締結されることにより、頭部１９ａの周辺で替え刃４の後側辺４ｂに隣接する中央一箇所を替え刃支持凹窪部１４との間で挟持固定する固定用ネジ１９が設けられている。
【００１８】
又、押え金３の裏面３ｂ側には、その後端寄りの位置に、全幅にわたって直線状に連続する幅方向と平行な凹溝部２０と、この凹溝部２０と押え金３の後端との間に位置する左右一対の貫通ネジ孔２１ａ，２１ｂと、凹溝部２０と替え刃支持凹窪部１４との間に配置された合計４つの貫通孔２２ａ〜２２ｄが設けられている。
【００１９】
而して、上記のように替え刃位置決め用嵌合部１３と替え刃固定手段１７とを利用して押え金３の裏面先端部に替え刃４を固定した状態の押え金３を、その裏面３ｂを鉋身２の平坦表面２ｂ，２ｃ側に対面させるように、そして幅方向の左右両側辺どうしが略揃うように、鉋身２上に重ねたとき、鉋身２側の角突条部８が押え金３側の凹溝部２０内に嵌合して、鉋身２と押え金３とが鉋身長さ方向に相対移動することは実質的に阻止されて、幅方向にのみ相対移動自在となり、同時に、鉋身２側の円形凹部１１内に押え金３側の固定用ネジ１９の頭部１９ａが遊嵌すると共に、鉋身２側の４つのネジ孔１２ａ〜１２ｄと押え金３側の４つの貫通孔２２ａ〜２２ｄとがそれぞれ略同心状に重なるように構成されている。又、このとき、鉋身２の前端側の平坦表面２ｂ上に、押え金３の裏面先端部に取り付けられている替え刃４の表面が当接し、その刃先４ａは、鉋身２の尖端２ａから全幅にわたって一定長さだけ平行に突出するように構成されている。即ち、この実施例では、鉋身２側の角突条部８と押え金３側の凹溝部２０とにより、替え刃付き押え金３を鉋身２の定位置に位置決めする押え金位置決め用嵌合部２３が構成されているのである。
【００２０】
上記のように替え刃付き押え金３が重ねられる鉋身２は、替え刃付き押え金３を重ねて固定する前に、鉋台１に鉋身固定手段２４により取り付けられる。即ち、鉋身固定手段２４は、図１及び図４に示すように、鉋台１の鉋身取付け用凹部６内の鉋身支持用斜面５に対して直角向きに設けられた上下２つ、左右２列の合計４つの下孔２５ａ，２５ｂ及び２６ａ，２６ｂと、鉋身２側の左右一対の長孔９，１０を貫通して各下孔２５ａ〜２６ｂにねじ込まれる４本の固定用木ネジ２７ａ，２７ｂ及び２８ａ，２８ｂとで構成されている。
【００２１】
而して、鉋台１の鉋身支持用斜面５に鉋身２の裏面側を当接させた状態で前後（上下）にスライドさせて、鉋身２側の長孔９の両端近傍位置に鉋台１側の上下２つの下孔２５ａ，２５ｂが位置すると共に、鉋身２側の長孔１０の両端近傍位置に鉋台１側の上下２つの下孔２６ａ，２６ｂが位置するように鉋身２の位置を調整した後に、各長孔９，１０を貫通させた各２本の固定用木ネジ２７ａ，２７ｂ及び２８ａ，２８ｂを鉋台１側の各下孔２５ａ，２５ｂ及び２６ａ，２６ｂにねじ込んで、鉋身２を鉋台１の鉋身支持用斜面５に固定する。このとき、各長孔９，１０と木ネジ２７ａ，２７ｂ及び２８ａ，２８ｂとの間には、鉋身長さ方向に鉋身２を移動させることができる若干の余裕が確保されており、この余裕の範囲内で鉋身２をその長さ方向に位置調整し、図４に示すように、鉋身２の尖端２ａが鉋身取付け用凹部６の下端開口付近（鉋台１の底面１ａより若干高い位置）で且つ鉋台１の底面１ａと平行になるように鉋身２を位置決めした状態で、各固定用木ネジ２７ａ〜２８ｂを強固に締結して鉋身２を鉋台１の鉋身支持用斜面５に固定する。尚、固定用木ネジ２７ａ〜２８ｂの頭部は、長孔９，１０の座繰り孔部９ａ，１０ａ内に嵌合しており、鉋身２の表面側には突出しない。
【００２２】
次に、先に説明した要領で替え刃４を裏面側先端部に取り付けた押え金３を鉋身２の表面に押え金固定手段２９により取り付ける。即ち、図１、図４、及び図５に示すように、押え金固定手段２９は、押え金３側の４つの貫通孔２２ａ〜２２ｄ、この各貫通孔２２ａ〜２２ｄに重なる鉋身２側の４つのネジ孔１２ａ〜１２ｄ、各貫通孔２２ａ〜２２ｄを貫通して各ネジ孔１２ａ〜１２ｄに螺合締結される４本の固定用ネジ３０ａ〜３０ｄ、押え金３側の２つの貫通ネジ孔２１ａ，２１ｂ、及びこの各貫通ネジ孔２１ａ，２１ｂに螺合貫通させて先端を鉋身２の後側平坦表面２ｃに当接させることができる２本の押え金角度調整ネジ３１ａ，３１ｂから構成されている。
【００２３】
従って、鉋台１の鉋身支持用斜面５上の定位置に鉋身固定手段２４により取り付けられた鉋身２の表面側の定位置に、先に説明したように替え刃４を取り付けた押え金３を重ね合わせ、上記の押え金固定手段２９の各固定用ネジ３０ａ〜３０ｄにより鉋身２上に押え金３を固定する。このとき鉋身２に対する押え金３の位置は、押え金位置決め用嵌合部２３と固定用ネジ３０ａ〜３０ｄとにより正確に確定し、この押え金３に対する替え刃４の位置は、替え刃位置決め用嵌合部１３と替え刃固定手段１７とにより正確に確定しているので、鉋身２の尖端２ａと押え金３の尖端３ａとの間で挟持されている替え刃４の刃先４ａは、鉋身２の尖端２ａから平行に一定量突出する状態となり、先に説明した鉋台１側の鉋身支持用斜面５上の定位置に鉋身２が正確に固定されておれば、替え刃４の刃先４ａは、鉋台１の鉋身取付け用凹部６の下端開口（鉋台１の底面１ａ）から正確に一定量だけ、所定角度で突出することになる。
【００２４】
上記のように押え金固定手段２９の押え金角度調整ネジ３１ａ，３１ｂが鉋身２の後側平坦表面２ｃに対して作用しておらず、４本の固定用ネジ３０ａ〜３０ｄにより、鉋身２の前側平坦表面２ｂに替え刃４の表面が面接触すると共に鉋身２の後側平坦表面２ｃに押え金３の裏面３ｂの後端部が面接触する状態に、鉋身２上に押え金３が圧接されて固定されている状態では、替え刃４は鉋身２と平行状態にあって、鉋台１の底面１ａに対する替え刃４の切込み角度は、鉋身２の角度（鉋台１の鉋身支持用斜面５の角度）と等しい。この状態から、押え金固定手段２９の４本の固定用ネジ３０ａ〜３０ｄの全部又は替え刃４から遠い後ろ側の２本の固定用ネジ３０ｃ，３０ｄを少し弛めた状態で、押え金固定手段２９の押え金角度調整ネジ３１ａ，３１ｂを強くねじ込んでみると、当該押え金角度調整ネジ３１ａ，３１ｂが鉋身２の後側平坦表面２ｃに対して圧接し、その反力で押え金３が替え刃４と一体に、鉋身２の尖端２ａと替え刃４の表面との間の押え金幅方向と平行な当接線Ｐを支点に、替え刃４の刃先４ａが下向きに移動する方向に傾動して鉋身２に対する押え金３の取付け角度、即ち、替え刃４の取付け角度が僅かであるが変化することになる。
【００２５】
上記のように替え刃４の取付け角度が、替え刃４の刃先４ａが下向きに移動する方向に変えることができるということは、鉋台１の底面１ａに対する替え刃４の刃先４ａの突出量を、若干の角度変化を伴うことにはなるが増大させる方向に調整できるということになるので、押え金角度調整ネジ３１ａ，３１ｂのねじ込み操作により、この替え刃式鉋の替え刃４の切込み深さを、鉋台１の鉋身支持用斜面５に対する鉋身２の取付け位置によって決まる基準値から増大させる方向に調整することができることになるのである。
【００２６】
尚、替え刃４の切込み深さが、鉋台１の鉋身支持用斜面５に対する鉋身２の取付け位置によって決まる基準値となる状態、即ち、鉋身２に対し押え金３を完全に平行に重ねて締結する状態で使用するならば、押え金固定手段２９の固定用ネジ３０ａ〜３０ｄは、替え刃４に隣接する左右一対の固定用ネジ３０ａ，３０ｂだけでなく、図７に示すように、替え刃４から遠い側の左右一対の固定用ネジ３０ｃ，３０ｄもある方が、押え金３を鉋身２の上にしっかりと固定することができるので好ましいが、替え刃４から遠い側の固定用ネジとしては、図示の左右一対の固定用ネジ３０ｃ，３０ｄの位置の中間一箇所に１本の固定用ネジを配設する構成でも良い。又、替え刃４の切込み深さが基準値となる状態から押え金角度調整ネジ３１ａ，３１ｂにより替え刃４の切込み深さを増大させて使用する機会が多い場合には、押え金固定手段２９の固定用ネジとしては、図８に示すように、替え刃４に隣接する左右一対の固定用ネジ３０ａ，３０ｂだけでも良い。又、この場合、図７に示すように、左右一対の押え金角度調整ネジ３１ａ，３１ｂを設けるのが望ましいが、場合によっては、図８に示すように、図７に示す押え金角度調整ネジ３１ａ，３１ｂの中間一箇所に１本の押え金角度調整ネジ３１を設けても良い。
【００２７】
本発明の替え刃式鉋は以上のように実施して使用することができるものであるが、実施例に際して特に重要なポイントは、鉋台１の鉋身支持用斜面５に対する鉋身２の取付け位置精度を高く保つことである。従って、上記実施例において説明した鉋身固定手段２４に対し、図９に示すように、鉋台１の鉋身支持用斜面５と鉋身２との間に両面粘着テープ３２を介在させることを追加すべきである。
【００２８】
即ち、鉋台１の鉋身支持用斜面５における鉋身２の裏面と面接触する領域の内、可能な限り広い領域に、又は図示のように、固定用木ネジ２７ａ〜２８ｂが貫通する領域を避けた適当な領域に、両面粘着テープ３２を貼付しておき、この両面粘着テープ３２の上で鉋身２を所定位置に重ねて、当該両面粘着テープ３２により鉋身支持用斜面５に鉋身２を仮止めし、この状態で固定用木ネジ２７ａ〜２８ｂにより鉋身２を鉋台１の鉋身支持用斜面５に少し弱い目に固定する。この状態で、両面粘着テープ３２との間の粘着力に抗して鉋身２をその長さ方向に位置調整して尖端２ａの位置を定位置に位置付け、この後、固定用木ネジ２７ａ〜２８ｂにより鉋身２を鉋台１の鉋身支持用斜面５に強固に締結固定する。この結果、両面粘着テープ３２は、鉋身支持用斜面５と鉋身２の裏面との間で完全に押しつぶされて鉋身支持用斜面５と鉋身２の裏面とに圧着し、鉋身２が鉋台１の鉋身支持用斜面５に強固に固定される。従って、仮に固定用ネジ３０ａ〜３０ｄが多少弛んでも、鉋身２の位置が不測にずれることがなくなり、鉋身位置を長期間にわたって正確に保持させることができる。
【産業上の利用可能性】
【００２９】
本発明の替え刃式鉋は、鉋台に取り付けられた鉋身の先端に切削刃を加工しないで、交換可能な替え刃を鉋身の先端にセットする従来の替え刃式鉋に代わる、替え刃の交換が容易で、しかも常に切削精度の高い状態に維持し易い替え刃式鉋として活用できる。
【符号の説明】
【００３０】
１    鉋台
２    鉋身
２ｂ，２ｃ    鉋身の平坦表面２ｂ，２ｃ
３    押え金
４    替え刃
５    鉋身支持用斜面
６    鉋身取付け用凹部
７    矩形平坦凹窪領域
８    角突条部（押え金位置決め用嵌合部）
９，１０    長孔（鉋身固定手段）
１１    円形凹部
１２ａ〜１２ｄ    ネジ孔（押え金固定手段）
１３    替え刃位置決め用嵌合部
１４    替え刃支持凹窪部（替え刃位置決め用嵌合部）
１５ａ，１５ｂ    突起部（替え刃位置決め用嵌合部）
１６ａ，１６ｂ    切欠き凹部（替え刃位置決め用嵌合部）
１７    替え刃固定手段
１８    ネジ孔（替え刃固定手段）
１９    固定用ネジ（替え刃固定手段）
２０    凹溝部（押え金位置決め用嵌合部）
２１ａ，２１ｂ    貫通ネジ孔（押え金固定手段）
２２ａ〜２２ｄ    貫通孔（押え金固定手段）
２３    押え金位置決め用嵌合部
２４    鉋身固定手段
２５ａ〜２６ｂ    下孔（鉋身固定手段）
２７ａ〜２８ｂ    固定用木ネジ（鉋身固定手段）
２９    押え金固定手段
３０ａ〜３０ｄ    固定用ネジ（押え金固定手段）
３１，３１ａ，３１ｂ    押え金角度調整ネジ（押え金固定手段）
３２    両面粘着テープ
【図１】
2011046105.tif 000003
【図２】
2011046105.tif 000004
【図３】
2011046105.tif 000005
【図４】
2011046105.tif 000006
【図５】
2011046105.tif 000007
【図６】
2011046105.tif 000008
【図７】
2011046105.tif 000009
【図８】
2011046105.tif 000010
【図９】
2011046105.tif 000011